(57)【特許請求の範囲】
【請求項１】
刃を有した第一のブレードと第二のブレードとを開閉動作させて、前記両刃間に配された被切断物を鋏み切ることができるように構成されるとともに、少なくとも前記第一のブレードにおける刃の刃先部分が前記第二のブレードの刃峰側に露出するカッター姿勢をとり得るように構成され、前記カッター姿勢において前記第一のブレードにおける刃の刃先部部分を被切断物に押し当ててカッターとして使用することもできるハサミであって、
前記カッター姿勢でカッターとして使用する際に前記刃先部分の刃表面と刃裏面との間に想定される二等分仮想面が前記被切断物の表面に直交するように前記ブレードの姿勢を誘導するための姿勢誘導手段を備えたものであり、
前記姿勢誘導手段は、前記第一のブレードの刃峰に設けられたブレードガードを備え、
前記ブレードガードは、前記カッター姿勢でカッターとして使用する際に使用者が操作力を付与するための押圧操作面の向きを前記二等分仮想面に対して直交させているカッター機能付きハサミ。
【請求項２】
刃を有した第一のブレードと第二のブレードとを開閉動作させて、前記両刃間に配された被切断物を鋏み切ることができるように構成されるとともに、少なくとも前記第一のブレードにおける刃の刃先部分が前記第二のブレードの刃峰側に露出するカッター姿勢をとり得るように構成され、前記カッター姿勢において前記第一のブレードにおける刃の刃先部部分を被切断物に押し当ててカッターとして使用することもできるハサミであって、
前記カッター姿勢でカッターとして使用する際に前記刃先部分の刃表面と刃裏面との間に想定される二等分仮想面が前記被切断物の表面に直交するように前記ブレードの姿勢を誘導するための姿勢誘導手段を備えたものであり、
前記姿勢誘導手段が、被切断物の表面又はその表面に平行な面に摺接して前記ブレードの姿勢を矯正する摺接面を備えたものであり、その摺接面の向きを前記二等分仮想面に対して直交させているカッター機能付きハサミ。
【請求項３】
刃を有した第一のブレードと第二のブレードとを開閉動作させて、前記両刃間に配された被切断物を鋏み切ることができるように構成されるとともに、少なくとも前記第一のブレードにおける刃の刃先部分が前記第二のブレードの刃峰側に露出するカッター姿勢をとり得るように構成され、前記カッター姿勢において前記第一のブレードにおける刃の刃先部部分を被切断物に押し当ててカッターとして使用することもできるハサミであって、
前記カッター姿勢でカッターとして使用する際に前記刃先部分の刃表面と刃裏面との間に想定される二等分仮想面が前記被切断物の表面に直交するように前記ブレードの姿勢を誘導するための姿勢誘導手段を備えたものであり、
前記姿勢誘導手段が、前記カッター姿勢でカッターとして使用する使用者が認識し得る部位に、前記二等分仮想面の傾きを認識させるための傾き表示要素を設けたものであり、前記傾き表示要素が、前記第一ブレードに前記二等分仮想面と平行な特定面を設けたものであるカッター機能付きハサミ。
【請求項４】
刃を有した第一のブレードと第二のブレードとを開閉動作させて、前記両刃間に配された被切断物を鋏み切ることができるように構成されるとともに、少なくとも前記第一のブレードにおける刃の刃先部分が前記第二のブレードの刃峰側に露出するカッター姿勢をとり得るように構成され、前記カッター姿勢において前記第一のブレードにおける刃の刃先部部分を被切断物に押し当ててカッターとして使用することもできるハサミであって、
前記カッター姿勢でカッターとして使用する際に前記刃先部分の刃表面と刃裏面との間に想定される二等分仮想面が前記被切断物の表面に直交するように前記ブレードの姿勢を誘導するための姿勢誘導手段を備えたものであり、
前記姿勢誘導手段が、前記二等分仮想面の傾きを検知するためのセンサーと、このセンサーが前記二等分仮想面の傾きが所定値に達したのを使用者に知らせる報知要素とを備えたものであるカッター機能付きハサミ。
【請求項５】
刃を有した第一のブレードと第二のブレードとを開閉動作させて、前記両刃間に配された被切断物を鋏み切ることができるように構成されるとともに、少なくとも前記第一のブレードにおける刃の刃先部分が前記第二のブレードの刃峰側に露出するカッター姿勢をとり得るように構成され、前記カッター姿勢において前記第一のブレードにおける刃の刃先部部分を被切断物に押し当ててカッターとして使用することもできるハサミであって、
前記カッター姿勢でカッターとして使用する際に前記刃先部分の刃表面と刃裏面との間に想定される二等分仮想面が前記被切断物の表面に直交するように前記ブレードの姿勢を誘導するための姿勢誘導手段を備えたものであり、
前記姿勢誘導手段は、前記第一のブレードの刃峰に設けられたブレードガードを備え、
前記ブレードガードが、半筒形状をなしており、且つ、カッターとして使用する使用者が押圧すべき場所にマーカーを設けたものであるカッター機能付きハサミ。
【発明の詳細な説明】
【技術分野】
【０００１】
本発明は、本発明は、刃を有した第一のブレードと第二のブレードとを開閉動作させて、前記両刃間に配された被切断物を鋏み切るようにしたハサミに関するものである。
【背景技術】
【０００２】
従来、刃を有した第一のブレードと第二のブレードとを開閉動作させて、前記両刃間に配された被切断物を鋏み切るようにしたハサミ、すなわち、前記両刃の刃線が開いた状態で露出する開き姿勢から前記両刃の刃線が露出しない閉じ姿勢までの間で前記両刃間に配された被切断物を鋏み切るようにしているハサミが周知である。
【０００３】
そしてそのようなハサミのうち、前記開き姿勢から前記閉じ姿勢を超えて両刃を動作させて、少なくとも前記第一のブレードの刃の刃先部分が前記第二のブレードの刃峰側に露出するカッター姿勢をとることができるハサミも提案されている(例えば、特許文献１参照)。このようなハサミは、前記カッター姿勢に姿勢変更することで、ハサミでありながら前記第一のブレードの刃先部分を被切断物に押し当て、被切断物をカッターナイフ（以下、カッターと記す）のように切ることができる。
【０００４】
またこれまでにも、上記カッター姿勢をとり得ないハサミであっても、使用者によっては何れかのブレードのハサミ部分を被切断物に直接押し当てるといった動作を行うことがあった。
【先行技術文献】
【特許文献】
【０００５】
【特許文献１】特開２００６−２３０７３３号公報
【発明の概要】
【発明が解決しようとする課題】
【０００６】
ここで、上記のようにハサミをカッター姿勢として用いたり、何れかのブレードを被切断物に直接押し当てて用いたりするときは通常、使用者はカッターを用いるときのようにハサミ全体を握るように持ち替えて何れかのブレードの刃先部分を被切断物に押し当てて引き切りすることにより被切断物を切断する。
【０００７】
しかしながら、上記特許文献記載のハサミを含め従来のハサミは、各ブレードの刃が、いわゆる片刃形状をなしているのが一般的である。すなわち、各ブレードの刃裏面はブレードの裏面に連続し、刃表面が各ブレードの表面に対して傾斜する刃切り形態をなしており、両ブレードの刃裏面同士を摺接させてハサミとしての機能を発揮させるようになっている。
【０００８】
このようなハサミのブレードをカッターとして使用する場合、何らの対策も施されていないと、使用者は通常ブレードを被切断物に垂直に押し当ててカッティング動作を行うことが通常である。そのため、刃がローリング方向に傾いた状態で被切断物に当接することになり、カッターとしての性能が十分に発揮できないという問題がある。
【０００９】
他の形態の刃を有したハサミの場合でも、カッターとして使用する際の刃先部分の姿勢を使用者がよく認識することができないことが少なくない。そのため、刃が不適切な姿勢で被切断物に当接しカッターとして使用する際の切れ味が損なわれていることが多い。
【００１０】
本発明は、このような問題に着目したものであり、カッターとして使用する際の切れ味を無理なく向上させることができるカッター機能付きハサミを提供することを目的としている。
【課題を解決するための手段】
【００１１】
本発明は、このような目的を達成するために、次のような手段を講じたものである。すなわち本発明に係るカッター機能付きハサミは、刃を有した第一のブレードと第二のブレードとを開閉動作させて、前記両刃間に配された被切断物を鋏み切ることができるように構成され、少なくとも前記第一のブレードにおける刃の刃先部分を被切断物に押し当ててカッターとして使用することもできるハサミであって、カッターとして使用する際に前記刃先部分の刃表面と刃裏面との間に想定される二等分仮想面が前記被切断物の表面に直交するように前記ブレードの姿勢を誘導するための姿勢誘導手段を備えたことを特徴としている。
【００１２】
このような構成のものであれば、カッターとして使用する際に前記刃先部分の刃表面と刃裏面との間に想定される二等分仮想面が前記被切断物の表面に直交するように前記ブレードの姿勢が誘導される。そのため、刃が不適切な姿勢で被切断物に当接するという不具合を防止又は抑制することができ、カッターとしての性能を効率よく発揮させることが可能になる。
【００１３】
そして、使用者にとって扱い易い姿勢誘導手段の一例として、姿勢誘導手段が、カッターとして使用する際に使用者が操作するための操作部を備え、その操作部が前記ブレードの姿勢を矯正するのに適した形に造形されたものである態様を挙げることができる。
【００１４】
使用者が強く意識せずともカッター姿勢でのハサミを正確に取り扱い得るようにするためには、操作部を、カッターとして使用する際に使用者が操作力を付与するための押圧操作面を備えたものとし、その押圧操作面の向きを前記二等分仮想面に対して直交させるようにすることが望ましい。
【００１５】
簡素な構成で上記効果を実現するためには、カッターとして使用する際に第一のブレードの刃の刃先部分が、第二のブレードの刃峰側に露出するカッター姿勢をとり得るように構成したハサミに対し、操作部に、第一のブレードの刃峰に設けられたブレードガードに押圧操作面を設けたものとすることが好ましい。
【００１６】
また上記態様の他に挙げられる姿勢変更手段の一例として、姿勢誘導手段が、被切断物の表面又はその表面に平行な面に摺接してブレードの姿勢を矯正する摺接面を備えた態様を挙げることができる。
【００１７】
また、従来のハサミから何ら形状を変更することなくカッター姿勢における使用感の向上を実現するためには、姿勢誘導手段を、カッターとして使用する使用者が視認しうる部位に、二等分仮想面の傾きを認識させるための傾き表示要素を設けたものとすることが望ましい。
【００１８】
また、姿勢誘導手段を構成するための他の態様としては、姿勢誘導手段が、二等分仮想面の傾きを検知するためのセンサーと、このセンサーが二等分仮想面の傾きが所定値に達したのを使用者に知らせる報知要素とを備えた態様を挙げることができる。
【００１９】
すなわち上述したように、本発明に係る姿勢誘導手段は、次のようなものが含まれる。
【００２０】
まず姿勢誘導手段としては、（１）形態により力学的に誘導するもの（２）使用者に視覚その他の感覚に訴えて誘導するもの、に分けることができる。
【００２１】
そして（１）形態により力学的に誘導するもの、の具体例としては、次の各形態が含まれる。
（１−１）第一のブレードの刃峰側に押圧操作面を設け、この押圧操作面の向きを二等分仮想面と直交させる形態：ここで当該形態においては、刃先部分が両刃形状を有しているか片刃形状を有しているかを問わない。
（１−２）ブレードに対してハンドルを捻った形態：ここで、「捻る」とは、単に傾斜させるという意味では無く、使用者が自然にハンドルを握った時に第一のブレードの傾きが適正になるような形態を示す。この形態の場合、刃先部分が片刃か、或いは刃の横断面が非対称形状をなす両刃であることが前提である。刃先部分が刃の横断面が対称形状をなす両刃である場合は対象とはならない。
（１−３）何れかの部位に、被切断物の表面に摺接可能な摺接面を設けた形態：具体的には以下の（１−３−１）〜（１−３−４）等が挙げられる。
（１−３―１）第一のブレードの刃先側に、被切断物の表面に摺接可能な摺接面を設けた形態：当該摺接面の向きを適正にすることで第一のブレードの角度を案内する。
（１−３−２）第二のブレードの刃峰側に、上記摺接面を設けた形態。
（１−３−３）第二のブレードの刃峰側に、添えて使うような定規にあたる摺接面を設けた形態。
（１−３−４）ハンドル側に上記摺接面を設けた形態：此所で勿論、摺接面はと固定された面に特定されることはなく、向きを固定された車輪やローラを適用してもよい。
【００２２】
他方、（２）使用者の視覚その他の感覚に訴えて誘導するもの、の具体例としては、次の各形態が含まれる。
（２−１）マーカーを設ける等、視覚的に誘導するもの、すなわち、使用者にマーカー等を用いて刃の向きを知らせることで適切な向きへ誘導できるようにしたもの：具体的には以下の（２−１−１）、（２−１−２）等が挙げられる。
（２−１−１）第一のブレードの刃峰にガイドを設け、そのガイドに点や線からなるマーカーを設けたもの：さらに具体的には、そのガイドに半筒形状をなす押圧操作面を設け、その押圧操作面の適切な位置、押圧すべき場所にマーカーを設けたものが挙げられる。マーカーの位置について具体的には、刃先部分が片刃のとき、刃峰側の形状は問わないが例えば円筒面であったとき、その頂点より少しずれた位置に設ける。刃先部分が断面視対称形状をなす両刃形状である時は、頂点にマーカーを設けることになる。
（２−１−２）離間した部位に二つのマーカーを設けておき、それらのマーカーの視覚的な相対位置で、ブレードの適切な向きを知るようにしたもの。
（２−２）マーカーを設けることなくブレードの形状等により押すべき位置を誘導するもの。例えば刃先部分が断面視対称形状をなす両刃形状をなす態様であるときは刃峰側を例えば円筒面に設定しておけば、その円筒面自体が姿勢誘導手段として機能すると考えられる。すなわち円筒面を押す場合、自ずと頂点が押されるためである。
（２−３）ブレード又はブレードに設けたガイド等に貫通孔を設け、その貫通孔の方向を工夫して誘導するもの：具体的には、使用者が貫通孔を通して向こうが見える向きが、適切な向きであるものが挙げられる。
（２−４）視認できる特定の面を二等分仮想面と平行にするもの：すなわち、ブレードの表面の全部又は一部に特定の面を設けたものが挙げられる。ここで、一部とは、突条を設けて、その突条の外側面を特定の面にするものや、ガイドの側面を「特定の面」とするものが考えられる。勿論この特定の面は、ハンドルに設けてもよい。
（２−５）穴やスリットといった凹みを設けてその底面にマーカーを設けるもの：このマーカーが視認できる向きが適切な向きとなるようにする。
（２−６）水平器（水準器）として機能するものを設けたもの：例えば気泡管水平器であれば気泡の位置で適切な向きが分かる。
（２−７）センサーを設け、適切な向きを向けば使用者に分かるように光を発するもの。
（２−８）センサーを設け、適切な向きを向けば使用者に分かるように音や振動を発するもの。
【発明の効果】
【００２３】
本発明によれば、カッターとして使用する際の切れ味を無理なく向上させることができるカッター機能付きハサミを提供することができる。
【図面の簡単な説明】
【００２４】
【図１】本発明の一実施形態に係る斜視図。
【図２】同正面図。
【図３】図２に係る動作説明図。
【図４】図３に係る要部の拡大図。
【図５】図４に係るＡ−Ａ線断面図。
【図６】同実施形態に係る分解斜視図。
【図７】同実施形態に係る他の分解斜視図。
【図８】同実施形態に係る動作を表として示す図。
【図９】同実施形態の変形例に係る説明図。
【図１０】同他の変形例に係る説明図。
【図１１】同上。
【発明を実施するための形態】
【００２５】
以下、本発明の一実施の形態について図面を参照して説明する。
【００２６】
本実施形態に係るカッター機能付きハサミ（以下、ハサミと記す）Ａは、例えば刃を有した第一のブレードたる第一ブレード１と第二のブレードたる第二ブレード２とを開閉動作させて、両刃１１、２１間に配された被切断物である紙Ｓ等のシート状をなすものを鋏み切るようにしたものである。
【００２７】
このハサミＡは、第一ブレード１、第二ブレード２に加え、これら両ブレード１、２の基端側の領域１ｃ、２ｃに設けられた第一ハンドル３、第二ハンドル４と、中間の領域１ｂ、２ｂでこれら両ブレード１、２を枢着する枢着ピン６と、第一ブレード１の先端側の領域１ａに取り付けられたブレードガード７とを有している。
【００２８】
しかして本実施形態に係るハサミＡは、少なくとも第一ブレード１における刃の刃先部分１７を被切断物たる紙Ｓに押し当ててカッターとして使用することもできるハサミＡであって、カッターとして使用する際に刃先部分１７の刃表面１５と刃裏面１６との間に想定される二等分仮想面Ｘが被切断物の表面に直交するようにブレード１、２の姿勢を誘導するための姿勢誘導手段たるブレードガード７を備えている。
【００２９】
このハサミＡは、第一ハンドル３と第二ハンドル４との間に設けられたモード切替え機構５を備えることで、第一ブレード１の刃線１２が第二ブレード２の刃峰２４から突出せず且つ第二ブレード２の刃線２２が第一ブレード１の刃峰１４から突出しない閉じ姿勢（Ｒ１）から両刃１１、２１の刃線１２、２２が開いた状態で露出する開き姿勢（Ｑ１）までの間でのみブレード１、２を開閉動作させることができるハサミモード（Ｑ）と、少なくとも第一ブレード１の刃の刃先部分１７が第二ブレード２の刃峰２４側に露出するカッター姿勢（Ｐ１）をとることを許容するカッターモード（Ｐ）と、両ブレード１、２を閉じ姿勢（Ｒ１）にロックするロックモード（Ｒ）とのいずれかを選択することができるように構成されている。
【００３０】
加えてこのハサミＡは特に図３に示すように、カッターモード（Ｐ）において人差し指でブレードガード７を押圧するとき、第一ブレード１が最も適した姿勢で被切断物たる紙Ｓに接することができる。以下、ハサミＡの各構成要素について具体的に説明する。
【００３１】
第一ブレード１は、図１〜図７に示すように、例えばステンレス鋼板等の金属板を素材としたものであり、この実施形態のものはプレスにより成形されるものである。この第一ブレード１は、紙Ｓ等を鋏み切る際に上方に位置する。また本実施形態では、この第一ブレード１は、刃１１を有した先端側の領域１ａと刃１１を開閉動作させるための第一ハンドル３を設けた基端側の領域１ｃとの中間の領域１ｂにおいて枢着ピン６を介して第二ブレード２に枢結されたものである。先端側の領域１ａに設けられた刃１１は、第二ブレード２と摺動可能かつ平坦な刃裏面１６と、第一ブレード１と反対側に向かう面である外面すなわち刃表面１５と、これら刃裏面１６、刃表面１５間に形成された刃線１２とを有している。この刃線１２の全長は、本実施形態では例えば約７０ｍｍに設定している。これら刃裏面１６と刃表面１５との間の刃線１２における刃角度は４０°〜５０°の範囲で任意に設定してよいが、本実施形態では例えば約５０°に設定している。さらにこの第一ブレード１は、刃線１２と反対側の端縁に形成した刃峰１４と、先端部に位置する刃先部分１７とを具備する。なお本実施形態では、刃先部分１７よりも基端側における刃峰１４側にブレードガード７を取り付けている。また、この第一ブレード１の基端側の領域１ｃには第一ハンドル３を取り付けている。加えてこの第一ブレード１は少なくとも刃先部分１７近傍の先端部形状を、使用中の如何なる状態であっても第二ブレード２の刃先部分２７が刃峰１４側に露出するのを防止することができる形状とすべく、第二ブレード２よりも短寸方向における刃裏面１６のサイズを大きく設定している。
【００３２】
第二ブレード２は、紙Ｓの下方に挿入されるものである。この第二ブレード２は第一ブレード１同様、ステンレスにより構成した金属板を素材とし、全体を一体的にプレス成形することにより形成してなる板状のものである。この金属板の厚さ寸法は任意であり、本実施形態では例えば約１．８ｍｍに設定している。この第二ブレード２は、刃２１を有した先端側の領域２ａと刃２１を開閉動作させるための第二ハンドル４を設けた基端側の領域２ｃとの中間の領域２ｂにおいて枢着ピン６を介して第一ブレード１に枢結されたものである。先端側の領域２ａに設けられた刃２１は、第一ブレード１と摺動可能かつ平坦な刃裏面２６と、第一ブレード１と反対側に向かう面である外面すなわち刃表面２５と、これら刃裏面２６、刃表面２５間に形成された刃線２２とを有している。この刃線２２の全長は、本実施形態では例えば約７０ｍｍに設定している。これら刃裏面２６と刃表面２５との間の刃線２２における刃角度は、本実施形態では例えば約５０°に設定している。さらにこの刃２１は、刃線２２と反対側の側端縁に形成した刃峰２４と、先端部に位置する刃先部分２７と、この刃先部分２７の刃峰２４を凹ませて形成した凹み部分２８とを具備する。すなわちこの凹み部分２８を形成することで第二ブレード２は、第一ブレード１の刃先部分１７が刃峰２４側に露出するのを許容するための先端部形状を有することになる。加えて本実施形態では、凹み部分２８における下面に定規を当てれば、自ずとカッター姿勢（Ｐ１）としての使用時に真っ直ぐ直線状に紙Ｓを切断できる形状に設定してある。
【００３３】
第一ハンドル３は、前端側に第一ブレード１の基端側の領域１ｃを挿入して取り付けるようにしたハンドル本体３１を主体としたもので、このハンドル本体３１と、使用者の人差し指、中指、又は薬指をかけておくための指掛け３２と、第二ハンドル４と協働してスムーズな開閉動作を促すための案内凹所３３と、第二ハンドル４側から突出する後述するピン５５を収容するためのピン収容部３５とを有している。この第一のハンドルは、本実施形態では例えば硬質の樹脂により一体成形されたものとしているが勿論、指掛け３２を構成する部分のみ別体の軟質樹脂を用い、使用者の手指によりフィットし易くする態様を妨げない。また第一ハンドル３は第二ハンドル４に対し略対称形状をなしているが、非対称であっても良い。
【００３４】
第二ハンドル４は、前端側に第二ブレード２の基端側の領域２ｃを挿入して取り付けるようにしたハンドル本体４１を主体としたもので、このハンドル本体４１と、使用者の親指をかけておくための指掛け４２と、第一ハンドル３と協働してスムーズな開閉動作を促すための摺動突条４４とを有している。すなわち、両ブレード１、２が開閉動作を行う際、第一ハンドル３の案内凹所３３内をこの摺動突条４４が摺動することが、これら両ブレード１、２のスムーズな開閉動作に寄与している。また第二ハンドル４の外側の形状は、第一ブレード１の刃峰１４が延びる方向の仮想の延長線から大きく突出しないような形状となっている。当該第二ハンドル４の外側の形状をこのように直線に近いなだらかな湾曲形状とすることにより、図３に示すように、カッターナイフを握るような持ち方をした場合、第二ハンドル４は手の掌に程よくフィットし得る。またハサミモード（Ｑ）での使用時から同図の態様への相互の持ち替えもスムーズに行うことができる。
【００３５】
ブレードガード７は、図３〜図５に示すように、第一ブレード１の刃先部分１７よりも若干基端側から枢着ピン６近傍に至る刃１１の最も基端側における刃峰１４側から刃表面１５、刃裏面１６の短寸寸法の約三分の一程度を覆うように取り付けられている。このブレードガード７は、ハサミモード（Ｑ）としての使用時に使用者がブレードガード７越しの紙Ｓ等の被切断物を良好に視認し得るよう大き過ぎないサイズに設定してある。これにより、ブレードガード７を紙Ｓよりも上側に位置させながらハサミモード（Ｑ）として使用してもブレードガード７が邪魔にならない。このことは、ハサミモード（Ｑ）からカッターモード（Ｐ）とすべくハサミＡを持ち替えるときに、ハサミＡを上下反転させることなく速やかに持ち替えて使用できることを意味する。また勿論、ハサミモード（Ｑ）での紙Ｓへの視認性をさらに向上させたければ、ブレードガード７の大きさを更に小さくすればよい。またこのブレードガード７は、もし刃峰１４に直接指を置いて押圧すると指が痛くなることを回避すべく、人差し指を添えて押圧しても痛くないように成形されている。このブレードガード７の厚み寸法は、第一ハンドル３、第二ハンドル４の厚み寸法と同程度か、若干大きい寸法に設定されている。ブレードガード７は、第一ブレード１の一端部に形成された平面である押圧操作面７１と、第一ブレード１の刃裏面１６側における他端縁において第二ブレード２の刃２１の厚みよりも大きく厚み寸法に突出させて形成したガード面７２とを有している。このガード面７２を設けることにより、使用者が手指を第一ブレード１の刃峰１４側に添えたとき、ハサミＡが何れの姿勢をとっても第二ブレード２の刃線２２が手指に当たることはない。具体的には、ガード面７２が閉じ姿勢（Ｒ１）及びカッター姿勢（Ｐ１）にあるときに第二ブレード２の刃線２２に近接する位置となるようにしているため、使用者はこれらの姿勢にあるガード面７２に対面した第二ブレード２の刃線２２に触れることができない。なお本実施形態ではブレードガード７は第一ブレード１とは異なる素材である樹脂素材を適用したが勿論、用いる素材は問わない。例えば第一ブレード１と同じ素材としても良い。その場合、第一ブレード１の刃峰１４側の一部を平坦面となるようにプレス成形することによりブレードガード７を設けても良い。
【００３６】
そして押圧操作面７１は、第一ブレード１の刃峰１４の端面よりも、例えば２５°程度刃表面１５寄りに傾斜した角度をなした平面である。そしてこの押圧操作面７１を有するブレードガード７が、姿勢誘導手段に相当する。当該姿勢誘導手段たるブレードガード７を利用したカッターモード（Ｐ）におけるハサミＡの取り扱いについては後に説明する。
【００３７】
モード切替え機構５は、本実施形態では第一ブレード１及び第二ブレード２の基端側の領域１ｃ、２ｃにおいて第一ハンドル３及び第二ハンドル４の間に設けられている。このモード切替え機構５は第二ハンドル４に対しスライド可能に取り付けられた作動子５１の位置を調整することにより、上記の通りハサミモード（Ｑ）、カッターモード（Ｐ）及びロックモード（Ｒ）を任意に切り替え得るものである。以下、このモード切替え機構５の構成について、図１〜図３、図６〜図８を用いて説明する。
【００３８】
モード切替え機構５は、第二ハンドル４にスライド可能に設けられた作動子５１と、作動子５１と係り合って第一ハンドル３に対する相対動作を許容又は制限するための係合部５２と、作動子５１を所要の位置に位置決めし得るように作動子５１を支持しているスライド案内部５３とを有している。
【００３９】
スライド案内部５３は、作動子５１側に一体に形成され第二ハンドル４側に突出した第一取付爪５３ａと、第二ハンドル４側にスリット状に設けられ第一取付爪５３ａをスライド可能に支持する第一スライド溝５３ｂと、作動子５１側に一体に且つ第一取付爪５３ａに対向する位置に形成された第二取付爪５３ｃと、第二取付爪５３ｃをスライド且つ位置決めし得る第二スライド溝５３ｄとを有している。第二取付爪５３ｃは、第二スライド溝５３ｄ側に突出した節度突条５３ｅを有している。第二取付溝は、内面側両端付近及び中央箇所の三箇所において節度突条５３ｅに凹凸嵌合し得る節度凹所５３ｆを有している。そしてこのスライド案内部５３により、作動子５１は、カッターモード（Ｐ）、ハサミモード（Ｑ）、ロックモード（Ｒ）に相当する正確な位置で樹脂素材を凹凸嵌合させることで、精度の高い節度機構を実現している。
【００４０】
作動子５１は、使用者の手指からの操作力を受けるスライド操作体５１ａと、スライド操作体５１ａを基端として板状に延び弾性変形可能に形成された弾性付勢部材たる板ばね５４と、この板ばね５４の先端に設けられた概略円筒形状をなすピン５５とを有している。スライド操作体５１ａは、使用者の手指から操作力を滑り無く受け得るよう、表面に細かな凹凸が形成されている。板ばね５４は、スライド操作体５１ａの位置により、弾性変形を許容及び禁止され得るものであり、本実施形態ではカッターモード（Ｐ）でのみ、この板ばね５４が弾性変形可能なように構成されている。ピン５５は、板ばね５４の先端からさらに第一ハンドル３側にまで突出している。そしてピン５５の突出端は第一ハンドル３側のピン収容部３５及び案内凹所３３内に収容され、ピン収容部３５のカッター部分及びロック部分にピン５５の突出端が位置しているときは、ピン５５に対する第一ハンドル３の動作が禁止される。
【００４１】
係合部５２は、作動子５１に係り合ってハサミモード（Ｑ）、カッターモード（Ｐ）及びロックモード（Ｒ）を切替えるためのものである。この係合部５２は、カッターモード（Ｐ）で両ブレード１、２が開き姿勢（Ｑ１）をとることを禁止すべく作動子５１に係り合う規制部分５６と、ハサミモード（Ｑ）で閉じ姿勢（Ｒ１）から開き姿勢（Ｑ１）までの間でのみブレード１、２が開閉動作を行い得るよう作動子５１に係り合う開閉許容部分５７と、ブレード１、２をロックモード（Ｒ）にロックするロック部分５８と、閉じ姿勢（Ｒ１）からカッター姿勢（Ｐ１）への姿勢変更に伴うピン５５の動作を許容する変形許容部分５９とを有している。規制部分５６は、板ばね５４を挟み込むように収容し得る規制スリット５６ａを有している。開閉許容部分５７は、ハサミモード（Ｑ）にあるピン５５に当接することによりピン５５と第二ハンドル４との相対移動を禁止し得るピン支持面５７ａを有している。ロック部分５８は、規制スリット５６ａの縁部においてロックモード（Ｒ）にあるピン５５の外面に外嵌し得る部分円筒面状に凹ませて形成したピン固定面５８ａを有している。このピン固定面５８ａに接したピン５５は、規制スリット５６ａに板ばね５４が収容されていることも作用し、第二ハンドル４に対して動作し得ない状態にある。変形許容部分５９は、ピン５５をカッターモード（Ｐ）としたときに一方側にのみ隙間を形成すべく第二ハンドル４を構成する素材を凹ませて設けたものである。すなわちカッターモード（Ｐ）にあるピン５５は変形許容部分５９への方向のみ弾性変形可能となることで、これによるピン５５と第二ハンドル４との相対移動が許容される。
【００４２】
続いて、図８を主に参照しつつ、モード切替え機構５によるハサミモード（Ｑ）、カッターモード（Ｐ）及びロックモード（Ｒ）にすべく作動子５１を動作させたときの各部の挙動について説明する。同図は、各モードにおける構成要素の態様をそれぞれ、作動子５１、係合部５２及びハンドルに着目した要部を図示している。
【００４３】
ハサミモード（Ｑ）として作動子５１を動作範囲中央にセットしたとき、板ばね５４は一部が規制スリット５６ａから露出しているもののピン５５が開閉部分のピン支持面５７ａに当接しているため、ピン５５と第二ハンドル４との相対動作は禁止されている。しかしピン５５は第一ハンドル３に対してピン収容部３５から案内凹所３３を経て第一ハンドル３の内外を移動できるようになっている、これによりハサミＡは両刃１１、２１の刃線１２、２２が露出しない閉じ姿勢（Ｒ１）から両刃１１、２１の刃線１２、２２が開いた状態で露出する開き姿勢（Ｑ１）までの間でのみブレード１、２を開閉動作させることができるハサミモード（Ｑ）が実現される。ここで、特に第一ブレード１の刃線１２が第二ブレード２の刃峰２４から突出せず且つ第二ブレード２の刃線２２が第一ブレード１の刃峰１４から突出しない当該閉じ姿勢（Ｒ）としたときは同図中央に示すようにピン５５の図示上方向への移動が禁止されているため、ハサミモード（Ｑ）では閉じ姿勢（Ｒ１）から開き姿勢（Ｑ１）とは逆側への動作が禁止される。これによりハサミモード（Ｑ）はカッター姿勢（Ｐ１）をとることが禁止される。すなわち当該ハサミモード（Ｑ）は、閉じ姿勢（Ｒ１）から開き姿勢（Ｑ１）までの間で「のみ」両ブレード１、２の開閉動作が許容される。
【００４４】
カッターモード（Ｐ）として作動子５１を動作範囲における図示一旦側にセットしたとき、板ばね５４は規制スリット５６ａから露出し、ピン５５は変形許容部分５９が設けられた図示上側でのみ第二ハンドル４に対し動作可能である。このときピン５５はカッター端３５ｐに位置し第一ハンドル３に対して動作することができない。ピン５５が第二ハンドル４に対し図示上側へ移動するということは、第一ブレード１に対し第二ブレード２は閉じ姿勢（Ｒ１）から開き姿勢（Ｑ１）とは反対方向へ、変形許容部分５９のスペースのみ回動し得る。換言すれば、このカッターモード（Ｐ）において使用者が両ハンドルが合い寄るように握る等の動作を行えば開き方向とは逆に両ブレード１、２が相対回動するために図３〜図５に示すカッター姿勢（Ｐ１）を取ることができる。本実施形態では変形許容部分５９内をピン５５が侵入することで両ブレード１、２が３°相対回動する。そして図８に示すようにカッター姿勢（Ｐ１）においてピン５５が変形許容部分５９内に侵入するときは板ばね５４が弾性変形する。すなわちカッター姿勢（Ｐ１）から使用者がハンドルへの把持を中止する等により外力を解除すれば板ばね５４の弾性復帰によりハサミＡは閉じ姿勢（Ｒ１）へ自己復帰する。
【００４５】
ロックモード（Ｒ）として作動子５１を動作範囲における図示他端側にセットしたとき、板ばね５４は規制スリット５６ａ内に略全域が収容されるとともにピン５５はロック部分５８におけるピン固定面５８ａに嵌り込むため、ピン５５と第二ハンドル４との相対動作は禁止されている。併せてピン５５は第一ハンドル３に設けたピン収容部３５のロック端３５ｒに収容され第一ハンドル３に対して動作することができない。つまりロックモード（Ｒ）では、ピン５５が第一ハンドル３に対しても第二ハンドル４に対しても動作し得ない状態となるため、ハサミＡが閉じ姿勢（Ｒ１）から動作し得ないロックされた状態が実現される。
【００４６】
しかして本実施形態では、上記カッターモード（Ｐ）でのみ実現されるカッター姿勢（Ｐ１）にて使用者が操作するための操作部たるブレードガード７を備えている。そしてこのブレードガード７が、両ブレード１、２の姿勢を矯正するのに適した形に造形されたものである。
【００４７】
つまり、図３〜図５に示すように、第一ブレード１の刃峰１４の端面は刃裏面１６の面方向に対し直交する向きに面している。そしてこの刃峰１４の端面よりも、上述したように、例えば約５０°に設定された第一ブレード１の刃角度の半分の角度である２５°だけ傾斜させている。換言すれば押圧操作面７１は、第一ブレード１の刃先部分１７の刃表面１５と刃裏面１６との間に想定される二等分仮想面Ｘに対し直交する方向に面している。
【００４８】
特に図５に示すように、この押圧操作面７１を使用者が被切断物である紙Ｓの表面へ向けて押圧するとき、第一ブレード１の刃先部分１７の刃表面１５と刃裏面１６との間に想定される二等分仮想面Ｘが紙Ｓの表面に直交するようにブレード１、２の姿勢を誘導されながら刃先部分１７が紙Ｓに接する。その結果、使用者はカッター姿勢（Ｐ１）としたハサミＡをカッターとして用いたとき、両刃形状をなす刃を有する他の市販のカッターナイフ同様の使い心地を得ることができる。加えて本実施形態では上述の通り、凹み部分２８における下面に定規を当てて、カッター姿勢（Ｐ１）において定規に沿って正確に紙Ｓを切断することも可能である。
【００４９】
以上のような構成とすることにより、本実施形態に係るハサミＡは、単一のハサミＡを用いながら通常のハサミとしての使用もカッターとしての使用もできるので、使用時の使用者の負担の軽減化、作業の効率化に有効に資するものとなっている。すなわち本実施形態に係るハサミＡは、カッターとして使用する際に刃表面１５と刃裏面１６との間に想定される二等分仮想面Ｘが紙Ｓの表面に直交するように第一ブレード１の姿勢が誘導される。そのため、刃１１が不適切な姿勢で紙Ｓに当接するという不具合を防止又は抑制することができ、カッターとしての性能を効率よく発揮させ得るものとなっている。
【００５０】
そして、使用者にとって扱い易いようにするために本実施形態では、姿勢誘導手段として、カッターとして使用する際に使用者が操作するための操作部たるブレードガード７を適用し、ブレードガード７がブレード１、２の姿勢を矯正するのに適した形に造形している。
【００５１】
使用者が強く意識せずともカッター姿勢（Ｐ１）でのハサミＡを正確に取り扱い得るようにするために本実施形態では、ブレードガード７に、カッターとして使用する際に使用者が操作力を付与するための押圧操作面７１を設け、その押圧操作面７１の向きを二等分仮想面Ｘに対して直交させるようにしている。
【００５２】
簡素な構成で上記効果を実現するために本実施形態では、カッターとして使用する際に第一ブレード１の刃１１の刃先部分１７が第二ブレード２の刃峰２４側に露出するカッター姿勢をとり得るように構成したハサミＡに対し、操作部として、第一ブレード１の刃峰１４に設けられたブレードガード７に押圧操作面７１を設けたものとしている。これにより使用者はカッター姿勢（Ｐ１）としたハサミＡをカッターとして用いたとき、両刃形状をなす刃を有する他の市販のカッターナイフ同様の使い心地を得ることができる。
＜変形例＞
以下、上記実施形態の各変形例について説明する。当該変形例において上記実施形態の構成要素に相当するものに対しては同じ符号を付すとともに、その詳細な説明を省略する。
【００５３】
すなわち上記実施形態では、姿勢誘導手段として上記したように、形態により力学的に誘導するもののうち、第一ブレード１の刃峰１４側に押圧操作面７１を設けて、この押圧操作面７１の向きを二等分仮想面Ｘと直交させる形態を適用したが勿論、本発明の姿勢誘導手段Ｘは上述の通り、ハンドル３、４を握れば自ずと姿勢が矯正されるハンドル形状をなすものをはじめ、種々の態様を適用し得る。
【００５４】
図９に示す変形例では、姿勢誘導手段としてブレードガード７に加え、紙Ｓの表面又はその表面に平行な面に摺接してブレード１、２の姿勢を矯正する摺接面７５を備えた姿勢変形手段７Ａを設けている。具体的には、第二ブレード２の刃峰２４側で素材を隆起させて形成するか或いは別体の部材を取り付けることにより、摺接面７５を有する姿勢変更手段７Ａを設けている。
【００５５】
また勿論、第一のブレードの刃先側に上記同様の摺接面７５を有した姿勢変更手段７Ａを設けたものや、第二ブレードの刃峰側に添えて使うような定規に当接する摺接面７５を設けたもの、又はハンドル３、４側に上記摺接面７５を設けてもよい。また本変形例のように、ハサミＡに設けられる姿勢誘導手段は単一とは限られず、複数の姿勢誘導手段７、７Ａを併せて適用しても良い。加えて上記実施形態では上述した通り、凹み部分２８における下面に定規を当てれば、自ずとカッター姿勢（Ｐ１）としての使用時に真っ直ぐ直線状に紙Ｓを切断できる形状に設定してあるとしたが当該下面が面する角度を適宜設定することにより、当該凹み部分２８に摺接面を設けることも可能である。
【００５６】
また勿論、図１０に示す変形例のように、使用者の視覚その他の感覚に訴えて誘導するものとして、姿勢誘導手段として、ブレード１、２に、カッターとして使用する操作者にブレード１、２の傾きを視認させるための傾き指示要素７３としてのマーカー７４を設けたものを挙げることができる。
【００５７】
具体的に説明すると、ブレードガード７の形状を半筒形状をなす形状とし、適切な位置、押圧すべき場所にマーカー７４を設ける。具体的には、本実施形態は第一ブレード１の刃１１は、刃裏面１４が平坦である片刃形状をなしているので、半円筒面の頂点より少しずれた位置にマーカー７４を設けている。なお本実施形態では刃先部分１７を片刃形状としているが、もしも当該刃先部分１７が横断面視対称である両刃形状をなすときは、半円筒面の頂点にマーカー７４を設ければよい。
【００５８】
また図１１に示すように、本変形例は、傾き指示要素７３として、第一ブレード１に突設したガイド等として利用し得る姿勢誘導手段７Ａを設け、この姿勢誘導手段７Ａに貫通孔７７や二等分仮想面Ｘと平行な特定の面たる向き特定面７６を設けた態様としても良い。具体的には、使用者が貫通孔７７を通して向こうが見えるようにブレード１、２の向きを調整すれば、自ずと二等分仮想面Ｘが紙Ｓの面に直交するブレード１、２の適切な向きとなる。加えて向き特定面７６が紙Ｓの面から垂直となるようにすれば、自ずと二等分仮想面Ｘが紙Ｓの面に直交する適切な向きとなる。
【００５９】
また他にも、同図の貫通孔７７に代えて有底穴としその底面にマーカーを設けてもよい。すなわち使用者は底面のマーカーを視認し得るようにブレード１、２の向きを調整すれば、自ずと二等分仮想面Ｘが紙Ｓの面に直交するブレード１、２の適切な向きとなる。さらに他にも、水平器（水準器）として機能するものを設けたものとしてもよい。
【００６０】
以上、本発明の実施形態について説明したが、各部の具体的な構成は、上述した実施形態のみに限定されるものではなく、本発明の趣旨を逸脱しない範囲で種々変形が可能である。まず、上記実施形態及び変形例では図示及び説明はしていないが、姿勢誘導手段を、二等分仮想面の傾きを検知するためのセンサーと、このセンサーが前記二等分仮想面の傾きが所定値に達したのを使用者に知らせる報知要素とを備えたものとしてもよい。
【００６１】
例えば、上記実施形態では当該刃先部分が横断面視対称である両刃形状をなすときは、半円筒面の頂点にマーカーを設けるという例を記載したが、この場合に限ってはマーカーを設けなくてもよい。半円筒面自体が姿勢誘導手段の傾き指示要素に相当すると考えられ、使用者は当該半円筒面の頂点を押圧し、それが自ずと二等分仮想面と同じ方向となるからである。またハンドルやブレードの具体的な態様は上記実施形態のものに限定されることはなく、既存のものを含め、種々の態様のものを適用することができる。よって勿論、ブレードの仕様として所謂グルーレス仕様を適用しても良い。具体的には、両ブレードの刃裏面に凹みを設けることによりグルーレス仕様を実現したものや、両ブレードの表面にチタンコートやフッ素コートといった加工を施すことによって仕様を実現したものであっても良い。また刃の構造として、刃線をアーチ状に湾曲させてなる所謂「アーチ刃」の構造としたものや、刃線から刃表面に亘る部分を鋸歯形状に成形した所謂「ギザ刃」と称される構造としたものであっても良い。また当該「ギザ刃」の構造を適用した場合、カッターモードでの使用時における安全性の向上に資する。
【００６２】
その他、各部の具体的構成についても上記実施形態に限られるものではなく、本発明の趣旨を逸脱しない範囲で種々変形が可能である。
【産業上の利用可能性】
【００６３】
本発明は刃を有した第一のブレードと第二のブレードとを開閉動作させて、前記両刃間に配された被切断物を鋏み切るようにしたハサミとして利用することができる。
【符号の説明】
【００６４】
Ａ…カッター機能付きハサミ（ハサミ）
Ｘ…二等分仮想面
１…第一のブレード（第一ブレード）
１５…第一のブレードの刃表面（刃表面）
１６…第一のブレードの刃裏面（刃裏面）
１７…第一のブレードの刃先部分（刃先部分）
２…第二のブレード（第二ブレード）
２８…第二のブレードの刃峰側（凹み部分）
１１、２１…刃
１２、２２…刃線
３…ハンドル（第一ハンドル）
４…ハンドル（第二ハンドル）
Ｐ１…カッター姿勢
Ｓ…被切断物（紙）
７…姿勢誘導手段、操作部（ブレードガード）
７Ａ…姿勢誘導手段
７１…押圧操作面
７３…傾き表示要素
７４…マーカー
７５…摺接面
７６…向き特定面
７７…貫通孔
【図１】
0006736854.tif 000002
【図２】
0006736854.tif 000003
【図３】
0006736854.tif 000004
【図４】
0006736854.tif 000005
【図５】
0006736854.tif 000006
【図６】
0006736854.tif 000007
【図７】
0006736854.tif 000008
【図８】
0006736854.tif 000009
【図９】
0006736854.tif 000010
【図１０】
0006736854.tif 000011
【図１１】
0006736854.tif 000012